(57)【要約】【課題】  エネルギー損失を抑制できるようにする。【解決手段】  樋型凹面鏡１３の焦点近傍位置に透明管１５を設け、透明管１５と熱供給部とを循環させる金属ナノ粒子分散液１６を用いるようにして太陽熱集熱装置１２を形成する。太陽光１４を樋型凹面鏡１３で集光して透明管１５に照射し、透明管１５の管壁を透過する太陽光１４を金属ナノ粒子分散液１６に受光させることで、金属ナノ粒子分散液１６中で太陽光１４を熱エネルギーに変換させて透明管１５内の金属ナノ粒子分散液１６自体を加熱させる。この加熱により太陽光１４の熱エネルギー変換系で最も温度が高くなる金属ナノ粒子分散液１６自体を熱供給部へ導いてその保有熱を供給させる。【選択図】図１
2010144957.tif 000002
【特許請求の範囲】
【請求項１】
太陽光を金属又は金属酸化物のナノ粒子分散液に受光させて、該ナノ粒子分散液中で太陽光を熱エネルギーに変換させるようにし、熱供給部で該ナノ粒子分散液の保有熱を供給させるようにすることを特徴とする太陽熱集熱方法。
【請求項２】
集光装置で集光させた太陽光を金属又は金属酸化物のナノ粒子分散液に受光させるようにする請求項１記載の太陽熱集熱方法。
【請求項３】
太陽光を受光して該太陽光を熱エネルギーに変換させる金属又は金属酸化物のナノ粒子分散液に、太陽放射スペクトルの可視域及び近赤外域に吸収性を有するものを用いるようにする請求項１又は２記載の太陽熱集熱方法。
【請求項４】
太陽光を受光できるようにした透明容器と、該透明容器で受光した太陽光を熱エネルギーに変換させる金属又は金属酸化物のナノ粒子分散液を用いるようにし、且つ上記透明容器と熱供給部との間で上記ナノ粒子分散液を循環するようにしてなる構成を有することを特徴とする太陽熱集熱装置。
【請求項５】
金属又は金属酸化物のナノ粒子分散液を作動流体として用いる透明容器に、集光装置で集光した太陽光を受光させるようにした請求項４記載の太陽熱集熱装置。
【請求項６】
透明容器と熱供給部との間を循環させる金属又は金属酸化物のナノ粒子分散液を、太陽放射スペクトルの可視域及び近赤外域に吸収性を有するものとした請求項４又は５記載の太陽熱集熱装置。
【発明の詳細な説明】
【技術分野】
【０００１】
本発明は、太陽光を熱エネルギーに変換して集熱するために用いる太陽熱集熱方法及び装置に関するものである。
【背景技術】
【０００２】
環境に負荷を与えることのないクリーンなエネルギーとして太陽エネルギーがあり、該太陽エネルギーの利用形態の１つとして、太陽光を熱エネルギーに変換して利用する太陽熱利用が知られている。
【０００３】
この種の太陽熱利用を実施する装置としては、太陽熱集熱器で太陽光を熱エネルギーに変換して集熱すると共に該集熱された太陽熱で作動流体を加熱し、次いで、上記加熱された作動流体を熱供給部へ輸送することで、該熱供給部にて上記加熱された作動流体の保有熱を供給して上記太陽光に由来する熱エネルギーの利用を図る形式のものが多く用いられてきている。
【０００４】
ところで、上記作動流体として広く一般的に用いられている水は、赤外域の光の吸収性は高い一方、太陽光のエネルギーが集中する可視域から近赤外域にかけての吸収性に乏しいため、水に直接太陽光を照射させても、太陽光の熱エネルギーへの変換能力を十分に得ることはできない。
【０００５】
そのために、従来の太陽熱集熱器では、太陽光を、選択吸収塗料が塗布された固体受光面にて熱に変換し、その熱を作動流体に伝えて該作動流体を加熱するようにした構成のものが一般的に採られている。
【０００６】
図６は従来提案されている太陽熱集熱器の一例の概略を示すもので、有底の第１ガラス管２の内側に、該第１ガラス管２よりも小径とし且つ表面に太陽放射スペクトル域で吸収が大きく、熱放射スペクトル域で放射率が小さい特性を有する選択吸収膜（選択吸収塗料）４を設けた有底の第２ガラス管３を挿入配置して、該第１と第２の各ガラス管２，３同士の間に所要の間隔を設けた状態で、両ガラス管２と３の開口端同士を気密的に一体に結合すると共に、両ガラス管２と３の間の空間を高真空に減圧して集熱ガラス管１を形成するようにしてある。
【０００７】
更に、作動流体としての水６を流通させるＵ字管５を、上記集熱ガラス管１の開口端から内部に向けて挿入すると共に、該集熱ガラス管１の内側に、表面にフィンが形成されたアルミニウム製の熱伝導材７を設けた構成としてある。
【０００８】
上記集熱ガラス管１は、外筒面に取り付けられたガラス管受けゴム８を介してヘッダーボックス９に取り付けた構成としてある。１０は上記ヘッダーボックス９に充填された保温材、１１は上記集熱ガラス管１の開口端を封止する断熱キャップ（断熱材）である。
【０００９】
上記構成としてある太陽熱集熱器によれば、集熱ガラス管１に入射する太陽光は、上記第１ガラス管２を透過した後、選択吸収膜４を介することで第２ガラス管３に効率よく熱として吸収される。次いで、この第２ガラス管３に吸収された熱の一部が、Ｕ字管５に直接熱伝導により該Ｕ字管５内の水６の加熱に供され、別の一部が熱伝導材７に伝わった後、Ｕ字管５内の水６の加熱に供されることで、該Ｕ字管５に流通させる水６を順次加熱して温水６ａとさせた状態で回収できるようにしてあり、これにより、上記太陽光のエネルギーを熱に変換し上記温水６ａの保有熱の形で集熱するようにしてある（たとえば、特許文献１参照）。
【００１０】
なお、太陽光を熱エネルギーに変換して流体を加熱する別の手法としては、気体中に炭素の粒子の如き熱吸収性粒子を浮遊させ、この熱吸収性粒子が浮遊した状態の気体に太陽光を照射させることで、太陽光により上記熱吸収性粒子を加熱し、この加熱により高温となる上記熱吸収性粒子から、その周りの気体へ熱を移動させるようにする手法が従来提案されている（たとえば、特許文献２参照）。
【００１１】
【特許文献１】特開平７−３２４８２６号公報
【特許文献２】特表２００５−５１１４６７号公報
【発明の開示】
【発明が解決しようとする課題】
【００１２】
ところが、上記特許文献１に示されている太陽熱集熱器では、太陽光を選択吸収膜４が設けられた第２ガラス管３のような固体の受光面で熱に変換し、その熱を作動流体である水６に伝えるようにしてあるため、この太陽光を熱エネルギーに変換する系の中では、上記選択吸収膜４を備えた固体受光面を有する第２ガラス管３が最も温度が高くなる。そのために、上記第２ガラス管３と、その外側の第１ガラス管２との間に高真空の空間が設けてあるとしても、該第２ガラス管３からの放射等によるエネルギー損失が大きくなってしまうというのが実状である。
【００１３】
上記特許文献２に示された気体中に浮遊させた熱吸収性粒子を用いて太陽光を熱エネルギーに変換する手法では、太陽光を熱エネルギーに変換することで加熱される熱吸収性粒子より熱を受けるものが、熱容量の小さい気体であるため、熱供給部へ効率よく熱を搬送することができないという問題がある。
【００１４】
そこで、本発明は、太陽光を熱エネルギーに変換した後のエネルギー損失を抑えることができると共に、該太陽光に由来する熱エネルギーを熱供給部へ効率よく輸送することが可能な太陽熱集熱方法及び装置を提供しようとするものである。
【課題を解決するための手段】
【００１５】
本発明は、上記課題を解決するために、請求項１に対応して、太陽光を金属又は金属酸化物のナノ粒子分散液に受光させて、該ナノ粒子分散液中で太陽光を熱エネルギーに変換させるようにし、熱供給部で該ナノ粒子分散液の保有熱を供給させるようにする太陽熱集熱方法とする。
【００１６】
又、上記構成において、集光装置で集光させた太陽光を金属又は金属酸化物のナノ粒子分散液に受光させるようにする。
【００１７】
更に、上記各構成において、太陽光を受光して該太陽光を熱エネルギーに変換させる金属又は金属酸化物のナノ粒子分散液に、太陽放射スペクトルの可視域及び近赤外域に吸収性を有するものを用いるようにする。
【００１８】
又、請求項４に対応して、太陽光を受光できるようにした透明容器と、該透明容器で受光した太陽光を熱エネルギーに変換させる金属又は金属酸化物のナノ粒子分散液を用いるようにし、且つ上記透明容器と熱供給部との間で上記ナノ粒子分散液を循環するようにしてなる構成を有する太陽熱集熱装置とする。
【００１９】
更に、上記装置構成において、金属又は金属酸化物のナノ粒子分散液を作動流体として用いる透明容器に、集光装置で集光した太陽光を受光させるようにした構成とする。
【００２０】
更に又、上記各装置構成において、透明容器と熱供給部との間を循環させる金属又は金属酸化物のナノ粒子分散液を、太陽放射スペクトルの可視域及び近赤外域に吸収性を有するものとした構成とする。
【発明の効果】
【００２１】
本発明によれば、以下のような優れた効果を発揮する。  
（１）太陽光を金属又は金属酸化物のナノ粒子分散液に受光させて、該ナノ粒子分散液中で太陽光を熱エネルギーに変換させるようにし、熱供給部で該ナノ粒子分散液の保有熱を供給させるようにする太陽熱集熱方法、及び、太陽光を受光できるようにした透明容器と、該透明容器で受光した太陽光を熱エネルギーに変換させる金属又は金属酸化物のナノ粒子分散液を用いるようにし、且つ上記透明容器と熱供給部との間で上記ナノ粒子分散液を循環するようにしてなる構成を有する太陽熱集熱装置としてあるので、透明容器を透過する太陽光を、金属又は金属酸化物のナノ粒子分散液中で熱エネルギーへ変換させることで、この太陽光を熱エネルギーに変換する系の中で上記ナノ粒子分散液自体の温度を最も高くさせることができ、このエネルギー変換系で最も温度が高くなる上記ナノ粒子分散液自体を熱供給部に導いてその保有熱を供給させることができるため、太陽光を熱エネルギーに変換した後のエネルギー損失を抑えることができる。又、太陽光に由来する熱エネルギーを上記熱供給部まで効率よく輸送することができる。  
（２）更に、従来の太陽熱集熱器で必要とされていたような選択吸収塗料を設ける必要がないため、フレキシブルな構造へ応用可能とする効果が期待できる。更に又、透明容器に、従来の太陽光集熱器に設けられていた如き熱伝導材を具備する必要もないもないため、装置構成をシンプルなものとすることができ、よって、運用時における点検や保守に要する手間及び時間を削減する効果も期待できる。  
（３）集光装置で集光させた太陽光を金属又は金属酸化物のナノ粒子分散液に受光させるようにすることにより、上記ナノ粒子分散液に受光させる太陽光の光量を増大させることができて、該ナノ粒子分散液による集熱効率を高めることができる。  
（４）太陽光を受光して該太陽光を熱エネルギーに変換させる金属又は金属酸化物のナノ粒子分散液に、太陽放射スペクトルの可視域及び近赤外域に吸収性を有するものを用いるようにすることにより、太陽光のエネルギーが集中する可視域から近赤外域にかけての波長の電磁波の保有するエネルギーを上記ナノ粒子分散液で熱エネルギーに変換することができるため、該ナノ粒子分散液の加熱効率を高めることができる。
【発明を実施するための最良の形態】
【００２２】
以下、本発明を実施するための最良の形態を図面を参照して説明する。
【００２３】
図１乃至図２は本発明の太陽熱集熱方法及び装置の実施の一形態を示すもので、以下のような構成としてある。
【００２４】
すなわち、集光装置としての集光ミラー、たとえば、放物線状の断面を有する樋型凹面鏡１３を備え、該樋型凹面鏡１３の焦点近傍位置に、樋型凹面鏡１３と平行に延びる透明容器としての透明管１５を設ける。更に、上記透明管１５に流通させるための金属ナノ粒子又は金属酸化物のナノ粒子分散液（以下、単に金属ナノ粒子分散液と云う）１６を用いるようにして、本発明の太陽熱集熱装置１２を構成する。
【００２５】
詳述すると、上記透明管１５は、太陽放射スペクトルのうち、可視域から近赤外域の波長の電磁波の透過性が高い材質製としてある。更に、上記透明管１５の内部を流通させる上記金属ナノ粒子分散液１６の保有する熱の外部への放出（放熱）を抑制するという観点からすると、該透明管１５は熱伝導率が小さい材質製のものとすることが好ましい。
【００２６】
なお、上記透明管１５は、上記樋型凹面鏡１３の焦点近傍位置に配置した状態で、図示しない取付具を介して上記樋型凹面鏡１３自体、又は、上記樋型凹面鏡１３の図示しない支持構造に取り付けるようにしてあるものとする。
【００２７】
上記金属ナノ粒子分散液１６は、金属又は金属酸化物のナノ粒子を所要の溶媒に均一に分散した液体であり、上記金属又は金属酸化物のナノ粒子は、太陽放射スペクトルの可視域から近赤外域の波長の電磁波を吸収して熱エネルギーに変換するものであれば、たとえば、銅、酸化銅、ニッケル、その他、任意の金属種の単体又は酸化物のナノ粒子を用いることができる。
【００２８】
更に、上記金属ナノ粒子分散液１６における所要の溶媒は、上記透明管１５を流通させる金属ナノ粒子分散液１６に上記樋型凹面鏡１３で集光する太陽光１４を照射させる（受光させる）ことで、該金属ナノ粒子分散液１６中の上記金属又は金属酸化物のナノ粒子に太陽放射スペクトルの可視域から近赤外域の波長の電磁波を吸収させて熱エネルギーに変換させる際、該ナノ粒子の発する熱により加熱されても、その加熱温度領域で蒸発したり変質したりすることがない物性を備えた溶媒を用いるようにしてあるものとする。
【００２９】
上記金属ナノ粒子分散液１６にて、上記金属又は金属酸化物のナノ粒子を上記所要の溶媒に均一分散させる手段は、一般的には界面活性剤を用いるようにすればよい。又、上記したように透明管１５を流通させる金属ナノ粒子分散液１６に上記樋型凹面鏡１３で集光する太陽光１４を照射することで該金属ナノ粒子分散液１６中の上記金属又は金属酸化物のナノ粒子に太陽放射スペクトルの可視域から近赤外域の波長の電磁波を吸収させて熱エネルギーに変換させる際に、該ナノ粒子の熱が作用する所要の溶媒中においても上記ナノ粒子の凝集を防止できるようにしてあれば、界面活性剤の種類は、上記金属や金属酸化物の金属種や上記所要の溶媒の種類に応じて適宜選択するようにすればよい。更には、界面活性剤以外の手段によって上記金属又は金属酸化物のナノ粒子を所要の溶媒に均一分散させてなる金属ナノ粒子分散液１６を用いるようにしてもよい。
【００３０】
以上の構成としてある本発明の太陽熱集熱装置１２を使用する場合は、上記樋型凹面鏡１３の放物線断面の対称軸の方向が太陽の方向に向く姿勢に配置し、上記透明管１５の両端部を、図示しない所要の熱供給部との間で金属ナノ粒子分散液１６を循環させることができるようにした閉流路（図示せず）に接続して、上記金属ナノ粒子分散液１６を所要の流速で上記透明管１５に流通させるようにする。
【００３１】
この状態で、上記本発明の太陽熱集熱装置１２に太陽光１４が照射されると、その一部は上記透明管１５に直接到達し、上記樋型凹面鏡１３に入射する太陽光１４は、該樋型凹面鏡１３で反射されて集光された状態で上記透明管１５に到達する。この透明管１５に到達した太陽光１４は、透明管１５の管壁が透明としてあるため、該透明管１５の管壁を透過して透明管１５の内部を流通する金属ナノ粒子分散液１６に受光されるようになる。
【００３２】
上記のようにして太陽光１４が透明管１５内の金属ナノ粒子分散液１６に受光されると、該金属ナノ粒子分散液１６に含まれる金属又は金属酸化物のナノ粒子が太陽放射スペクトルの可視域から近赤外域の電磁波の吸収能を有しているため、該ナノ粒子にて上記太陽放射スペクトルの可視域から近赤外域の電磁波が吸収されて、吸収されたエネルギーが熱エネルギーに変換されることで、上記ナノ粒子を含む金属ナノ粒子分散液１６自体が加熱されるようになる。したがって、上記透明管１５を流通する間に上記金属ナノ粒子分散液１６が順次加熱されるようになることから、該金属ナノ粒子分散液１６の保有熱の形で上記太陽光１４由来の熱エネルギーが集熱されるようになる。
【００３３】
上記透明管１５を通過した後の加熱された金属ナノ粒子分散液１６は、該透明管１５に接続してある閉流路を循環することで図示しない熱供給部へ導かれるようになることから、該図示しない熱供給部へ上記太陽光１４を熱エネルギーに変換した熱が運搬されて、該図示しない熱供給部にて熱の供給、利用が行われるようになる。
【００３４】
このように、本発明の太陽熱集熱方法及び装置によれば、太陽光１４のエネルギーが集中する可視域から近赤外域にかけての電磁波の保有するエネルギーを、透明管１５に流通させる金属ナノ粒子分散液１６の中で効率よく熱エネルギーに変換することができるため、該金属ナノ粒子分散液１６自体を発熱させて加熱することができる。この際、上記太陽光１４を熱エネルギーに変換する系の中では、太陽光１４を熱エネルギーに変換する金属ナノ粒子分散液１６自体の温度、すなわち、作動流体自体の温度を最も高くさせることができると共に、この系で最も温度が高くなる金属ナノ粒子分散液１６自体を、図示しない熱供給部に導いてその保有熱を利用することができるため、太陽光１４を熱エネルギーに変換した後のエネルギー損失を抑えることができると共に、該太陽光１４に由来する熱エネルギーを上記図示しない熱供給部まで効率よく輸送することができる。
【００３５】
更に、上記透明管１５には、図６に示した如き従来の太陽熱集熱器で必要とされていたような選択吸収塗料（選択吸収膜）を設ける必要がないため、フレキシブルな構造へ応用可能とする効果も期待できる。
【００３６】
更には、従来の太陽光集熱器で作動流体を効率よく加熱するために設けられていた熱伝導材も不要にできるため、本発明の太陽熱集熱装置１２の装置構成をシンプルなものとすることができ、よって、運用時における点検や保守に要する手間及び時間を削減する効果も期待できる。
【００３７】
上記実施の形態においては、透明管１５を単純な管として示したが、図３に示すように、上記透明管１５を、共に太陽放射スペクトルの可視域から近赤外域の波長の電磁波の透過性が高い材質製の内管１５ａと外管１５ｂからなる二重管構造とすると共に、上記内管１５ａと外管１５ｂとの管端部同士を気密に一体に結合し、且つ上記内管１５ａと外管１５ｂとの間の空間１５ｃを高真空に減圧した構成としてもよい。このようにすれば、上記内管１５ａと外管１５ｂとの間に設けた該高真空の空間１５ｃにより、内管１５ａより外管１５ｂへの熱の移動を抑えることができるようになるため、上記内管１５ａの内部を流通させる上記金属ナノ粒子分散液１６の保有する熱の外部への放出を抑制することで、太陽光１４を熱エネルギーに変換した後のエネルギー損失を低減させるのにより有利な構成とすることができる。
【００３８】
次に、図４及び図５は本発明の実施の他の形態を示すもので、集光装置としての集光レンズ、たとえば、リニアフレネルレンズ１７を備え、該リニアフレネルレンズ１７の焦点近傍位置に、上記図１及び図２に示した透明管１５と同様の透明管１５を設け、更に、上記透明管１５に流通させるための金属ナノ粒子分散液１６を用いて、本実施の形態の太陽熱集熱装置１２ａを構成したものである。
【００３９】
その他の構成は図１及び図２に示したものと同様であり、同一のものには同一の符号が付してある。
【００４０】
以上の構成としてある本実施の形態の太陽熱集熱装置１２ａを使用する場合は、上記リニアフレネルレンズ１７の光軸の方向が太陽の方向に向く姿勢に配置し、上記透明管１５の両端部を、図示しない所要の熱供給部との間で金属ナノ粒子分散液１６を循環させることができるようにした閉流路（図示せず）に接続して、上記金属ナノ粒子分散液１６を所要の流速で上記透明管１５に流通させるようにする。
【００４１】
この状態で、上記本発明の太陽熱集熱装置１２ａに太陽光１４が照射されると、上記リニアフレネルレンズ１７に入射する太陽光１４が集光された状態で上記透明管１５に到達する。この透明管１５に到達した太陽光１４は、透明管１５の管壁が透明としてあるため、該透明管１５の管壁を透過して透明管１５の内部を流通する金属ナノ粒子分散液１６に受光されるようになる。
【００４２】
したがって、本実施の形態においても、図１及び図２の実施の形態と同様に、太陽放射スペクトルの可視域から近赤外域の電磁波を吸収して熱エネルギーに変換する金属又は金属酸化物のナノ粒子を含んだ金属ナノ粒子分散液１６自体を、上記透明管１５を流通する間に順次加熱することができるため、該金属ナノ粒子分散液１６の保有熱の形で上記太陽光１４由来の熱エネルギーを集熱でき、この集熱により加熱された金属ナノ粒子分散液１６を、透明管１５に接続してある閉流路を経て図示しない熱供給部へ導くことで、上記太陽光１４を熱エネルギーに変換した熱を図示しない熱供給部に運搬して利用することができる。よって、図１及び図２の実施の形態と同様の効果を得ることができる。
【００４３】
なお、本発明は上記各実施の形態のみに限定されるものではなく、図１及び図２の実施の形態、図３の実施の形態では、集光ミラーとして、放物線状断面を有する樋型凹面鏡１３を示したが、入射する太陽光１４を透明管１５に集光することができるようにしてあれば、断面形状を放物線状以外の形状とした樋型凹面鏡やＣＰＣを用いるようにしてもよく、更には、上記透明管１５と平行に延びる平面鏡を角度を変えて組み合わせた形式の集光ミラーを用いるようにしてもよい。
【００４４】
図４及び図５の実施の形態では、集光レンズとして、リニアフレネルレンズ１７を用いるものとして示したが、入射する太陽光１４を透明管１５に集光することができるようにしてあれば、凸型のシリンドリカルレンズ等、リニアフレネルレンズ１７以外のいかなる形式の集光レンズを用いるようにしてもよい。
【００４５】
更には、入射する太陽光１４を透明管１５に集光することができれば、集光ミラーと集光レンズを併用してもよく、又、いかなる形式の集光装置を用いるようにしてもよい。
【００４６】
なお、太陽光１４を集光して透明管１５に照射するための集光装置は装備することが望ましいが、熱供給部で必要とされる温度があまり高くない場合は、集光装置を省略した構成としてもよい。
【００４７】
図４及び図５の実施の形態にて、透明管１５として、図３に示したと同様に、金属ナノ粒子分散液１６を流通させる内管１５ａの外側に高真空の空間１５ｃを介して外管１５ｂを備えてなる二重管構造の透明管１５を用いるようにしてもよい。
【００４８】
上記各実施の形態では、金属又は金属酸化物のナノ粒子を含んだ金属ナノ粒子分散液１６に太陽光１４を照射する際に該金属ナノ粒子分散液１６を収容する透明容器として、断面が円形の透明管１５を例示したが、集光装置により集光された太陽光１４が照射される表面積の上記金属ナノ粒子分散液１６の流路断面積に対する割合を拡大できるように、扁平な形状としたり、流路の中央部に内挿物を備えて容器表面に沿う流路を形成させた形式とする等、円管以外のいかなる形式の透明容器を用いるようにしてもよい。
【００４９】
その他本発明の要旨を逸脱しない範囲内で種々変更を加え得ることは勿論である。
【図面の簡単な説明】
【００５０】
【図１】本発明の太陽熱集熱方法及び装置の実施の一形態を示す概略斜視図である。
【図２】図１の装置の概略切断側面図である。
【図３】本発明の実施の他の形態を示す概略切断側面図である。
【図４】本発明の実施の更に他の形態を示す概略斜視図である。
【図５】図４の装置の概略切断側面図である。
【図６】従来提案されている太陽熱集熱器の一例の概要を示す図である。
【符号の説明】
【００５１】
１３  樋型凹面鏡（集光装置）
１４  太陽光
１５  透明管（透明容器）
１６  金属又は金属酸化物のナノ粒子分散液
１７  リニアフレネルレンズ（集光装置）
【図１】
2010144957.tif 000003
【図２】
2010144957.tif 000004
【図３】
2010144957.tif 000005
【図４】
2010144957.tif 000006
【図５】
2010144957.tif 000007
【図６】
2010144957.tif 000008